(57)【要約】【課題】  受信可能なテレビ放送の複数のチャンネルの中から少ないキー操作で所望するテレビ放送のチャンネルを容易に選択することができるようにする。【解決手段】  受信するテレビ放送のチャンネル番号を入力して、チャンネル番号が入力される毎に、入力されたチャンネル番号を先に入力されたチャンネル番号の下位桁に順次加えて該チャンネル番号で始まるチャンネルを記憶されている設定チャンネルから検索して、検索された全設定チャンネルを表示し、検索された設定チャンネルが１つになったとき、該チャンネルのテレビ放送を受信するようにする。【選択図】        図５
2006180118.tif 000002
【特許請求の範囲】
【請求項１】
衛星放送、地上波放送等のアナログ放送、デジタル放送のテレビ放送を受信する放送受信装置であって、
テレビ放送を受信する複数の設定チャンネルと該複数の設定チャンネル毎の受信時間数とを記憶する記憶手段と、受信するテレビ放送のチャンネル番号を入力する入力手段と、前記入力手段によりチャンネル番号が入力される毎に、入力されたチャンネル番号を先に入力されたチャンネル番号の下位桁に順次加えて該チャンネル番号で始まる前記記憶手段に記憶されている設定チャンネルを検索する検索手段と、前記検索手段により検索された全設定チャンネルを受信時間数順に表示する表示手段表示手段であって、前記検索手段により設定チャンネルが検索されない場合、前記入力手段により入力されたチャンネル番号が設定されていない旨を表示する表示手段と、前記表示手段により表示された設定チャンネルを選択する選択手段と、前記検索手段により検索された設定チャンネルが１つになったとき、該チャンネルのテレビ放送を受信する受信手段であって、前記選択手段により設定チャンネルが選択されたとき、選択された設定チャンネルのテレビ放送を受信する受信手段と、前記受信手段により受信されたチャンネルのテレビ放送の受信時間を計時して、計時された受信時間を前記記憶手段に記憶して該チャンネルの受信時間数を更新する更新手段とを備えたことを特徴とする放送受信装置。
【請求項２】
衛星放送、地上波放送等のアナログ放送、デジタル放送のテレビ放送を受信する放送受信装置であって、
テレビ放送を受信する複数の設定チャンネルと該複数の設定チャンネル毎の受信時間数とを記憶する記憶手段と、受信するテレビ放送のチャンネル番号を入力する入力手段と、前記入力手段によりチャンネル番号が入力される毎に、入力されたチャンネル番号を先に入力されたチャンネル番号の下位桁に順次加えて該チャンネル番号で始まる前記記憶手段に記憶されている設定チャンネルを検索する検索手段と、前記検索手段により検索された全設定チャンネルを表示する表示手段と、前記検索手段により検索された設定チャンネルが１つになったとき、該チャンネルのテレビ放送を受信する受信手段とを備えたことを特徴とする放送受信装置。
【請求項３】
前記表示手段は、前記検索手段により検索された全設定チャンネルを受信時間数順に表示する表示手段であることを特徴とする請求項２記載の放送受信装置。
【請求項４】
前記表示手段は、前記検索手段により設定チャンネルが検索されない場合、前記入力手段により入力されたチャンネル番号が設定されていない旨を表示する表示手段であることを特徴とする請求項２記載の放送受信装置。
【請求項５】
前記表示手段により表示された設定チャンネルを選択する選択手段を更に備え、
前記受信手段は、前記選択手段により設定チャンネルが選択されたとき、選択されたチャンネルのテレビ放送を受信するようにしたことを特徴とする請求項２記載の放送受信装置。
【請求項６】
前記受信手段により受信されたチャンネルのテレビ放送の受信時間を計時して、計時された受信時間を前記記憶手段に記憶して該チャンネルの受信時間数を更新する更新手段を更に備えたことを特徴とする請求項２記載の放送受信装置。
【発明の詳細な説明】
【技術分野】
【０００１】
本発明は、衛星放送、地上波放送等のアナログ放送、デジタル放送のテレビ放送を受信する放送受信装置に係り、特に受信を所望するテレビ放送のチャンネルを少ないキー操作で選択することができる放送受信装置に関する。
【背景技術】
【０００２】
近年、衛星放送、地上波放送等のアナログ放送、デジタル放送で放送されるテレビ放送のチャンネル数が増加して、多くのチャンネルのテレビ放送を受信して放送番組を視聴することができるようになってきている。しかし、多くのチャンネルのテレビ放送を受信することが可能あっても、ユーザが所望のチャンネルのテレビ放送を受信しようとしたとき、リモコン装置のテンキーの操作により数桁のチャンネル番号を入力しなければならないという問題点があった。また、リモコン装置のチャンネル選択キーを操作してチャンネルを順次切り換え、所望のチャンネルを選択するようしたものもあるが、受信可能なテレビ放送のチャンネル数が多い場合、設定されている多くのチャンネルを順次切り換えて所望のチャンネルを選択しなければならないため、ユーザが所望のチャンネルを容易に選択することができないという問題点があった。
背景技術としては、入力された１又は複数桁の数字をチャンネル番号の上位桁として現在時刻の属する時間帯において過去に視聴されたチャンネル番号を検索し、近時に視聴されたチャンネル番号を検出して、受信するテレビ放送のチャンネルを選択するようにしたものがあった（例えば、特許文献１参照）。
また、ザッピング時にチャンネル毎に視聴したい、或いは、視聴したくないを入力する操作キーを設け、２回目以降のザッピング時に所望のチャンネルを絞り込んで、受信するテレビ放送のチャンネルを選択するようにしたものがあった（例えば、特許文献２参照）。
また、放送中のチャンネル番号のテーブルを作成し、チャンネル選択キーが押されたとき、現在のチャンネル番号より大きく、且つ、最も近いチャンネル番号を作成されたテーブルから検索して画面に表示し、チャンネル選択キーが離されると、テレビ放送のチャンネルを選局するようにしたものがあった（例えば、特許文献３参照）。
【特許文献１】特開２００３−１５２５０４号公報
【特許文献２】特開２００１−２３６８６２号公報
【特許文献３】特開平１０−４２２１２号公報
【発明の開示】
【発明が解決しようとする課題】
【０００３】
しかしながら、背景技術で述べたもののうち最初のものにおいては、入力された１又は複数桁の数字をチャンネル番号の上位桁として現在時刻の属する時間帯において過去に視聴されたチャンネル番号を検索し、近時に視聴されたチャンネル番号を検出して、受信するテレビ放送のチャンネルを選択するすることができたが、１又は複数桁のチャンネル番号の上位桁を入力することにより、現在時刻の属する時間帯において近時に視聴されたチャンネル番号を検索するようになっていたため、現在時刻の属する時間帯において過去に一度も視聴されていないチャンネルは、全桁のチャンネル番号を入力しなければならないという問題点があった。
また、次のものにおいては、ザッピング時にチャンネル毎に視聴したい、或いは、視聴したくないを入力する操作キーを設け、２回目以降のザッピング時に所望のチャンネルを絞り込んで、受信するテレビ放送のチャンネルを選択することができたが、チャンネル番号をアップ／ダウンしてザッピングするときに、視聴したくないと設定されたチャンネル番号をスキップするようにしたものであって、上記問題点を解決するようにしたものではなかった。
また、更にその次のものにおいては、放送中のチャンネル番号のテーブルを作成し、チャンネル選択キーが押されたとき、現在のチャンネル番号より大きく、且つ、最も近いチャンネル番号を作成されたテーブルから検索して画面に表示し、チャンネル選択キーが離されると、テレビ放送のチャンネルを選局することができたが、チャンネル選択キーが押されている間、作成されたテーブルのチャンネルを順次表示して、チャンネル選択キーが離されたときに、表示されたチャンネルを選局するようにしたものであって、上記問題点を解決するようにしたものではなかった。
本発明は、背景技術の有するこのような問題点に鑑みてなされたものであり、その目的とするところは、受信可能なテレビ放送の複数のチャンネルの中から少ないキー操作で所望するテレビ放送のチャンネルを容易に選択することができる放送受信装置を提供しようとするものである。
【課題を解決するための手段】
【０００４】
上記目的を達成するため本発明においては、衛星放送、地上波放送等のアナログ放送、デジタル放送のテレビ放送を受信する放送受信装置であって、テレビ放送を受信する複数の設定チャンネルと該複数の設定チャンネル毎の受信時間数とを記憶する記憶手段と、受信するテレビ放送のチャンネル番号を入力する入力手段と、前記入力手段によりチャンネル番号が入力される毎に、入力されたチャンネル番号を先に入力されたチャンネル番号の下位桁に順次加えて該チャンネル番号で始まる前記記憶手段に記憶されている設定チャンネルを検索する検索手段と、前記検索手段により検索された全設定チャンネルを表示する表示手段と、前記検索手段により検索された設定チャンネルが１つになったとき、該チャンネルのテレビ放送を受信する受信手段とを備える。
前記表示手段は、前記検索手段により検索された全設定チャンネルを受信時間数順に表示するようにするとよい。
また、前記表示手段は、前記検索手段により設定チャンネルが検索されない場合、前記入力手段により入力されたチャンネル番号が設定されていない旨を表示するようにするとよい。
前記表示手段により表示された設定チャンネルを選択する選択手段を更に備え、前記受信手段は、前記選択手段により設定チャンネルが選択されたとき、選択されたチャンネルのテレビ放送を受信するようにする。
前記受信手段により受信されたチャンネルのテレビ放送の受信時間を計時して、計時された受信時間を前記記憶手段に記憶して該チャンネルの受信時間数を更新する更新手段を更に備える。
これらの手段により、受信可能なテレビ放送の複数のチャンネルの中から少ないキー操作で容易に所望するテレビ放送のチャンネルを選択することができる。
【発明の効果】
【０００５】
請求項１記載の発明に係る放送受信装置によれば、受信するテレビ放送のチャンネル番号を入力して、チャンネル番号が入力される毎に、入力されたチャンネル番号を先に入力されたチャンネル番号の下位桁に順次加えて該チャンネル番号で始まる記憶されている設定チャンネルを検索し、検索された全設定チャンネルを受信時間数順に表示するとともに、設定チャンネルが検索されない場合、入力されたチャンネル番号が設定されていない旨を表示し、表示された設定チャンネルを選択するとともに、検索された設定チャンネルが１つになったとき、該チャンネルのテレビ放送を受信するとともに、表示された設定チャンネルが選択されたとき、選択された設定チャンネルのテレビ放送を受信し、受信されたチャンネルのテレビ放送の受信時間を計時して、計時された受信時間を記憶して該チャンネルの受信時間数を更新するようにしているので、受信可能なテレビ放送の複数のチャンネルの中から少ないキー操作で容易に所望するテレビ放送のチャンネルを選択することができるとともに、入力されたチャンネル番号の設定チャンネルが設定されていない場合、チャンネル番号の入力の誤りを容易に知ることができ、検索された設定チャンネルを最新の受信時間数順に表示することができる。
請求項２記載の発明に係る放送受信装置によれば、受信するテレビ放送のチャンネル番号を入力して、チャンネル番号が入力される毎に、入力されたチャンネル番号を先に入力されたチャンネル番号の下位桁に順次加えて該チャンネル番号で始まるチャンネルを記憶されている設定チャンネルから検索して、検索された全設定チャンネルを表示し、検索された設定チャンネルが１つになったとき、該チャンネルのテレビ放送を受信するようにしているので、受信可能なテレビ放送の複数のチャンネルの中から少ないキー操作で容易に所望するテレビ放送のチャンネルを選択することができる。
請求項３記載の発明に係る放送受信装置によれば、入力されたチャンネル番号で始まる全設定チャンネルを受信時間数順に表示するようにしているので、ユーザがよく視聴するテレビ放送のチャンネルの順に表示することができる。
請求項４記載の発明に係る放送受信装置によれば、入力されたチャンネル番号の設定チャンネルが設定されていない場合、チャンネル番号の入力の誤りを容易に知ることができる。
請求項５記載の発明に係る放送受信装置によれば、表示された設定チャンネルを選択されたとき、選択されたチャンネルのテレビ放送を受信するようにしているので、複数の設定チャンネルが表示されたとき、その中から受信を所望するチャンネルを容易に選択することができる。
請求項５記載の発明に係る放送受信装置によれば、受信されたチャンネルのテレビ放送の受信時間を計時して、計時された受信時間を記憶して該チャンネルの受信時間数を更新するようにしているので、検索された設定チャンネルを最新の受信時間数順に表示することができる。
【発明を実施するための最良の形態】
【０００６】
以下、適宜図面を参照しながら本発明を実施するための最良の形態を詳述する。図１は本発明の一実施例の放送受信装置の構成を示すブロック図であり、図２は本発明の一実施例の放送受信装置のリモコン装置を示す説明図であり、図３は本発明の一実施例の放送受信装置の表示例を示す説明図であり、図４は本発明の一実施例の放送受信装置のチャンネル設定動作を示すフローチャートであり、図５は本発明の一実施例の放送受信装置の選局動作を示すフローチャートである。
まず、図１の本発明の一実施例の放送受信装置の構成を示すブロック図を基に説明する。
放送受信装置１は、アンテナ１７により受信されたテレビ放送電波の高周波信号を増幅する高周波増幅回路２と、高周波増幅回路２により増幅された高周波信号と局部発振回路４により発振された高周波信号とを混合して中間周波信号に変換する混合回路３と、混合回路３により中間周波信号に変換された中間周波信号を増幅する中間周波増幅回路５と、中間周波増幅回路５により増幅された中間周波信号を検波して映像音声信号を再生する検波回路６と、検波回路６により再生された映像音声信号から映像信号と音声信号とを分離する映像音声信号分離回路７と、映像音声信号分離回路７により分離された映像信号を増幅する映像信号増幅回路８と、文字情報信号を映像信号に重畳して、文字情報をＣＲＴ（Ｃａｔｈｏｄｅ−Ｒａｙ  Ｔｕｂｅ）１０の画面に表示するＯＳＤ（Ｏｎ−Ｓｃｒｅｅｎ  Ｃｈａｒａｃｔｅｒ  Ｄｉｓｐｌａｙ）回路９と、映像音声信号分離回路７により分離された音声信号を増幅してスピーカ１２から音声を出力する音声増幅回路１１と、放送受信装置１のシステム全体を制御するマイコン１３と、テレビ放送を受信する複数の設定チャンネルとその複数の設定チャンネル毎の受信時間数とを記憶する不揮発性メモリのフラッシュＲＯＭ（Ｒｅａｄ−Ｏｎｌｙ  Ｍｅｍｏｒｙ）１４と、時間を計時するタイマ回路１５と、リモコン装置２０から送信された赤外線信号のリモコン信号を受信して、所定の電気信号に変換するリモコン受信部１６とで構成されている。
また、リモコン装置２０には、図２に示すように、放送受信装置１の各種設定を行うメニュ画面の表示を指令するメニュキー２０ａ、受信するテレビ放送のチャンネル番号を入力するテンキー２０ｂ、メニュ画面に表示された選択項目を選択するカーソルキー２０ｃ、カーソルキー２０ｃにより選択された選択項目の選択を決定する決定キー２０ｄ等の複数の操作キーが設けられていて、それらの操作キーを操作することにより放送受信装置１を所望動作させることができるようになっている。
以上のように構成された放送受信装置について、以下その動作について説明する。
リモコン装置２０のメニュキー２０ａの操作によりメニュ画面の表示が指令されると、マイコン１３は、ＯＳＤ回路９に制御信号を送出して、ＣＲＴ１０の画面にメニュ画面を表示し（図示せず）、メニュ画面に表示されたチャンネル設定がリモコン装置２０のカーソルキー２０ｃと決定キー２０ｄとの操作により選択されると、ＯＳＤ回路９に制御信号を送出して、チャンネル設定画面をＣＲＴ１０の画面に表示する（図３（ａ）参照）。そして、ＣＲＴ１０の画面に表示されたチャンネル設定画面のオートサーチが選択されると、マイコン１３は、局部発振回路４に制御信号を送出して局部発振周波数を順次変更し、放送中のテレビ放送電波の中で一定の電界強度以上の受信可能なチャンネルをオートサーチして、オートサーチされた受信可能なテレビ放送のチャンネルをフラッシュＲＯＭ１４に記憶する。
また、ＣＲＴ１０の画面に表示されたチャンネル設定画面のマニュアルサーチが選択されると、マイコン１３は、ＯＳＤ回路９に制御信号を送出して、ＣＲＴ１０の画面にチャンネル設定のマニュアルサーチ画面を表示する（図示せず）。そして、受信するテレビ放送のチャンネルがリモコン装置２０のテンキー２０ｂ、カーソルキー２０ｃ、決定キー２０ｄの操作によりマニュアルサーチされて、マニュアルサーチされたチャンネルをフラッシュＲＯＭ１４に記憶する。
次に、受信するテレビ放送のチャンネルの選局動作について説明する。リモコン装置２０のテンキー２０ｂの操作によりチャンネル番号の１つ、例えば、「１」が入力されると、マイコン１３は、入力されたチャンネル番号「１」で始まるフラッシュＲＯＭ１４に記憶されている設定チャンネルを検索して、入力されたチャンネル番号で始まる設定チャンネルがフラッシュＲＯＭ１４に記憶されている場合、ＯＳＤ回路９に制御信号を送出して、入力されたチャンネル番号で始まるフラッシュＲＯＭ１４に記憶されている全設定チャンネルを受信時間数順にＣＲＴ１０の画面１０ａに表示し、表示されたチャンネルを選択するカーソルＡをＣＲＴ１０の画面１０ａに表示する（図３（ｂ）参照）。また、入力されたチャンネル番号で始まる設定チャンネルがフラッシュＲＯＭ１４に記憶されていない場合、マイコン１３は、ＯＳＤ回路９に制御信号を送出して、入力されたチャンネル番号が設定されていない旨をＣＲＴ１０の画面に表示する（図示せず）。
入力されたチャンネル番号で始まるフラッシュＲＯＭ１４に記憶されている設定チャンネルが１つである場合、マイコン１３は、局部発振回路４に制御信号を送出して、入力されたチャンネルのテレビ放送を受信して、受信したチャンネルのテレビ放送の受信時間をタイマ回路１５により計時し、計時された受信時間をフラッシュＲＯＭ１４に記憶してそのチャンネルの受信時間数を更新する。また、入力されたチャンネル番号で始まるフラッシュＲＯＭ１４に記憶されている設定チャンネルが複数である場合に、リモコン装置２０のカーソルキー２０ｃと決定キー２０ｄとの操作により画面１０ａに表示されたチャンネルが選択されたとき、或いは、リモコン装置２０のカーソルキー２０ｃのキー操作がなく、ＣＲＴ１０の画面に表示されたカーソルＡが移動されずに所定時間、例えば、３秒乃至５秒経過したとき、或いは、所定時間以内にリモコン装置２０のテンキー２０ｂの操作により更にチャンネル番号が入力されないとき、マイコン１３は、局部発振回路４に制御信号を送出して、選択されたチャンネルのテレビ放送を受信して、受信したチャンネルのテレビ放送の受信時間をタイマ回路１５により計時し、計時された受信時間をフラッシュＲＯＭ１４に記憶してそのチャンネルの受信時間を更新する。
また、入力されたチャンネル番号で始まるフラッシュＲＯＭ１４に記憶されている設定チャンネルが複数である場合に（図３（ｃ）参照）、リモコン装置２０のテンキー２０ｂの操作によりチャンネル番号、例えば、「２」が更に入力されると、マイコン１３は、入力されたチャンネル番号「２」を先に入力されたチャンネル番号「１」の下位桁に加えてチャネル番号の桁数を増やし、桁数が増やされたチャンネル番号「１２」で始まるフラッシュＲＯＭ１４に記憶されている設定チャンネルを検索する。そして、桁数が増やされたチャンネル番号で始まる設定チャンネルがフラッシュＲＯＭに記憶されている場合、マイコン１３は、ＯＳＤ回路９に制御信号を送出して、桁数が増やされたチャンネル番号で始まるフラッシュＲＯＭ１４に記憶されている全設定チャンネルを受信時間数順にＣＲＴ１０の画面１０ａに表示、表示されたチャンネルを選択するカーソルＡをＣＲＴ１０の画面１０ａに表示する。また、桁数が増やされたチャンネル番号で始まる設定チャンネルがフラッシュＲＯＭに記憶されていない場合、マイコン１３は、ＯＳＤ回路９に制御信号を送出して、桁数が増やされたチャンネル番号が設定されていない旨をＣＲＴ１０の画面に表示する（図示せず）。
桁数が増やされたチャンネル番号で始まる設定チャンネルが１つである場合、マイコン１３は、局部発振回路４に制御信号を送出して、入力されたチャンネルのテレビ放送を受信して（図３（ｃ）参照）、受信したチャンネルのテレビ放送の受信時間をタイマ回路１５により計時し、計時した受信時間をフラッシュＲＯＭ１４に記憶してそのチャンネルの受信時間を更新する。また、桁数が増やされたチャンネル番号で始まる設定チャンネルが複数である場合に、リモコン装置２０のカーソルキー２０ｃと決定キー２０ｄとの操作により画面１０ａに表示されたチャンネルが選択されたとき、或いは、リモコン装置２０のカーソルキー２０ｃのキー操作がなく、ＣＲＴ１０の画面に表示されたカーソルが移動されずに所定時間経過したとき、或いは、所定時間以内にリモコン装置２０のテンキー２０ｂの操作により更にチャンネル番号が入力されないとき、マイコン１３は、局部発振回路４に制御信号を送出して、選択されたチャンネルのテレビ放送を受信して、受信したチャンネルのテレビ放送の受信時間をタイマ回路１５により計時し、計時された受信時間をフラッシュＲＯＭ１４に記憶してそのチャンネルの受信時間数を更新する。
リモコン装置２０のテンキー２０ｂの操作によりチャンネル番号が入力される毎に、マイコン１３は、入力されたチャンネル番号を先に入力されたチャンネル番号の下位桁に順次加えて、桁数が増やされたチャンネル番号で始まるフラッシュＲＯＭ１４に記憶されている設定チャンネルを検索して、検索された全設定チャンネルをＣＲＴ１０の画面に表示し、桁数が増やされたチャンネル番号で始まるフラッシュＲＯＭ１４に記憶されている設定チャンネルが１つになると、マイコン１３は、局部発振回路４に制御信号を送出して、入力されたチャンネルのテレビ放送を受信して、受信したチャンネルのテレビ放送の受信時間をタイマ回路１５により計時し、計時された受信時間をフラッシュＲＯＭ１４に記憶してそのチャンネルの受信時間数を更新する。これにより、チャンネル番号が入力される毎に、検索するチャンネル番号の桁数が順次増やされて、フラッシュＲＯＭ１４に記憶されている設定チャンネルが検索され、受信するチャンネル番号が絞り込まれるので、受信可能なテレビ放送の複数のチャンネルの中から少ないキー操作で所望するテレビ放送のチャンネルを容易に選択することができる。
また、図４の本発明の一実施例の放送受信装置のチャンネル設定動作を示すフローチャートを基に説明する。
リモコン装置のカーソルキーと決定キーとの操作によりメニュ画面に表示されたチャンネル設定が選択されると、ステップＳ１からステップＳ２に進み、ステップＳ２で、テレビ放送電波の中で一定の電界強度以上の受信可能なチャンネルを自動的にサーチするオートサーチが選択されたか否かが判断され、オートサーチが選択された場合、ステップＳ３に進み、オートサーチが選択されず、受信するテレビ放送のチャンネルをマニュアルで設定するマニュアルサーチが選択された場合、ステップＳ５に進む。
ステップＳ３で、一定の電界強度以上の受信可能なテレビ放送のチャンネルがオートサーチされ、ステップＳ４に進む。
ステップＳ４で、オートサーチが終了したか否かが判断され、オートサーチが終了した場合、ステップＳ６に進み、オートサーチが終了していない場合、ステップＳ３に戻って、ステップＳ３からのステップを繰り返す。
ステップＳ５で、受信するテレビ放送のチャンネルがマニュアルサーチされ、ステップＳ６に進む。
ステップＳ６で、サーチされたテレビ放送のチャンネルが設定チャンネルとしてフラッシュＲＯＭに記憶されて、ステップＳ７に進んで処理を終了する。
また、図５の本発明の一実施例の放送受信装置の選局動作を示すフローチャートを基に説明する。
リモコン装置のテンキーの操作によりチャンネル番号が入力されると、ステップＳ１１からステップＳ１２に進み、ステップＳ１２で、入力されたチャンネル番号で始まるフラッシュＲＯＭに記憶されている設定チャンネルが検索されて、ステップＳ１３に進む。
ステップＳ１３で、入力されたチャンネル番号で始まる設定チャンネルがフラッシュＲＯＭに記憶されているか否かが判断され、入力されたチャンネル番号で始まる設定チャンネルがフラッシュＲＯＭに記憶されている場合、ステップＳ１４に進み、入力されたチャンネル番号で始まる設定チャンネルがフラッシュＲＯＭに記憶されていない場合、ステップＳ２４に進む。
ステップＳ１４で、入力されたチャンネル番号で始まるフラッシュＲＯＭに記憶されている全設定チャンネルが受信時間数順に画面に表示され、表示されたチャンネルを選択するカーソルが画面に表示されて、ステップＳ１５に進む。
ステップＳ１５で、入力されたチャンネル番号で始まる設定チャンネルが複数であるか否かが判断され、入力されたチャンネル番号で始まる設定チャンネルが複数である場合、ステップＳ１６に進み、入力されたチャンネル番号で始まる設定チャンネルが１つである場合、ステップＳ２３に進む。
ステップＳ１６で、リモコン装置のカーソルキーと決定キーとの操作により画面に表示されたチャンネルが選択されたか否かが判断され、画面に表示されたチャンネルが選択された場合、ステップＳ２３に進み、画面に表示されたチャンネルが選択されない場合、ステップＳ１７に進む。
ステップＳ１７で、画面に表示されたカーソルが移動されずに所定時間が経過したか否かが判断され、画面に表示されたカーソルが移動されずに所定時間が経過した場合、ステップＳ２３に進み、画面に表示されたカーソルが所定時間否下位に移動された場合、ステップＳ１８に進む。
ステップＳ１８で、リモコン装置のテンキーの操作によりチャンネル番号が更に入力されたか否かが判断され、チャンネル番号が更に入力された場合、ステップＳ１９に進み、チャンネル番号が更に入力されない場合、ステップＳ１６に戻って、ステップＳ１６からのステップを繰り返す。
ステップＳ１９で、入力されたチャンネル番号が先に入力されたチャンネル番号の下位桁に加えられ、そのチャンネル番号で始まるフラッシュＲＯＭに記憶されている設定チャンネルが検索されて、ステップＳ２０に進む。
ステップＳ２０で、桁数が増やされたチャンネル番号で始まる設定チャンネルがフラッシュＲＯＭに記憶されているか否かが判断され、桁数が増やされたチャンネル番号で始まる設定チャンネルがフラッシュＲＯＭに記憶されている場合、ステップＳ２１に進み、桁数が増やされたチャンネル番号で始まる設定チャンネルがフラッシュＲＯＭに記憶されていない場合、ステップＳ２４に進む。
ステップＳ２１で、桁数が増やされたチャンネル番号で始まるフラッシュＲＯＭに記憶されている全設定チャンネルが受信時間数順に画面に表示され、表示されたチャンネルを選択するカーソルが画面に表示されて、ステップＳ２２に進む。
ステップＳ２２で、桁数が増やされたチャンネル番号で始まる設定チャンネルが複数であるか否かが判断され、桁数が増やされたチャンネル番号で始まる設定チャンネルが複数である場合、ステップＳ１６に戻って、ステップＳ１６からのステップを繰り返し、桁数が増やされたチャンネル番号で始まる設定チャンネルが１つである場合、ステップＳ２３に進む。
ステップＳ２３で、入力又は選択されたチャンネルのテレビ放送が受信されて、受信されたチャンネルのテレビ放送の受信時間が計時され、計時された受信時間がフラッシュＲＯＭに記憶されてそのチャンネルの受信時間数が更新され、ステップＳ２５に進んで処理を終了する。
ステップＳ２４で、入力されたチャンネル番号が設定されていない旨が画面に表示され、ステップＳ２５に進んで処理を終了する。
以上、本発明を実施するための最良の形態について詳述したが、本発明はこれに限定されるものではなく、当業者の通常の知識の範囲内でその変形や改良が可能である。例えば、本発明の放送受信装置は、テレビジョン受像機を始めとして、テレビ放送の受信が可能なビデオカセットレコーダ、ディスク装置、オーディオ装置、ハードディスク装置等に適用できることはいうまでもない。
【図面の簡単な説明】
【０００７】
【図１】本発明の一実施例の放送受信装置の構成を示すブロック図である。
【図２】本発明の一実施例の放送受信装置のリモコン装置を示す説明図である。
【図３】本発明の一実施例の放送受信装置の表示例を示す説明図である。
【図４】本発明の一実施例の放送受信装置のチャンネル設定動作を示すフローチャートである。
【図５】本発明の一実施例の放送受信装置の選局動作を示すフローチャートである。
【符号の説明】
【０００８】
１  放送受信装置
２  高周波増幅回路
３  混合回路
４  局部発振回路
５  中間周波増幅回路
６  検波回路
７  映像音声信号分離回路
８  映像信号増幅回路
９  ＯＳＤ回路
１０  ＣＲＴ
１１  音声信号増幅回路
１２  スピーカ
１３  マイコン
１４  フラッシュＲＯＭ
１５  タイマ回路
１６  リモコン受信部
１７  アンテナ
２０  リモコン装置
【図１】
2006180118.tif 000003
【図２】
2006180118.tif 000004
【図３】
2006180118.tif 000005
【図４】
2006180118.tif 000006
【図５】
2006180118.tif 000007